(57)【特許請求の範囲】
【請求項１】
複数の住戸からなる集合住宅に設置されたエレベータの乗場に設置され、前記住戸の住人であることを証明するとともにいずれの前記住戸の住人かを特定する個人認証情報が格納された記録媒体から前記個人認証情報を読み取り、読み取られた前記個人認証情報を出力する読取部と、
前記住戸ごとに対応して設けられ、対応する前記住戸に設置された機器であって予め指定された前記機器である指定機器を制御する住戸機器制御部と、
前記読取部により出力された前記個人認証情報を入力し、入力された前記個人認証情報に対して認証処理を実行し、認証が成立すると、行先階の入力の受け付けを許可する受付許可信号をかご室の運転を制御するエレベータ制御装置に送信して行先階の入力待ちにさせるとともに、認証された前記個人認証情報の示す前記住人の前記住戸を特定し、特定された前記住戸の前記指定機器の制御状態を示す制御状態情報の取得を要求する取得要求信号を特定された前記住戸に対応する前記住戸機器制御部に出力する認証部と、
前記読取部とともに前記乗場に設置され、かつ、前記住戸機器制御部に接続した表示部と
を備え、
前記住戸機器制御部は、
前記認証部により出力された前記取得要求信号を受信すると、前記指定機器の前記制御状態情報を出力し、
前記表示部は、
前記住戸機器制御部により出力された前記制御状態情報を入力し、入力された前記制御状態情報を表示し、
前記読取部は、
前記指定機器が設置された前記住戸の存在する居住階に設置されたことを特徴とする制御状態取得装置。
【請求項２】
前記制御状態取得装置は、さらに、
前記読取部とともに前記乗場に設置され、前記表示部に表示された前記制御状態情報の示す制御状態にある前記指定機器である表示指定機器の前記制御状態の変更を指令する変更指令情報の入力を受け付け、受け付けた前記変更指令情報を前記表示指定機器に対応する前記住戸機器制御部に送信する変更指令情報入力部を備え、
前記住戸機器制御部は、
前記変更指令情報入力部から前記変更指令情報を入力すると、前記変更指令情報に基づいて前記表示指定機器の前記制御状態を変更することを特徴とする請求項１記載の制御状態取得装置。
【請求項３】
前記住戸機器制御部は、
警告対象として定められた少なくとも１台の前記指定機器である警告対象機器を含む複数の前記指定機器を制御するとともに、前記警告対象機器の前記制御状態情報を出力する際には、警告の発生を指令する警告発生信号をともに出力し、
前記制御状態取得装置は、さらに、
前記読取部とともに前記乗場に設置され、かつ、
前記住戸機器制御部により出力された前記警告発生信号を入力し、前記警告発生信号を入力すると、予め設定された音声出力モードで警告音を出力する音声出力部を備えたことを特徴とする請求項１または２のいずれかに記載の制御状態取得装置。
【請求項４】
複数の住戸からなる集合住宅に設置されたエレベータのかご室の室内に設置され、前記住戸の住人であることを証明するとともにいずれの前記住戸の住人かを特定する個人認証情報が格納された記録媒体から前記個人認証情報を読み取り、読み取られた前記個人認証情報を出力する読取部と、
前記住戸ごとに対応して設けられ、対応する前記住戸に設置された機器であって予め指定された前記機器である指定機器を制御する住戸機器制御部と、
前記読取部により出力された前記個人認証情報を入力し、入力された前記個人認証情報に対して認証処理を実行し、認証が成立すると、行先階の入力の受け付けを許可する受付許可信号を前記かご室の運転を制御するエレベータ制御装置に送信して行先階の入力待ちにさせるとともに、認証された前記個人認証情報の示す前記住人の前記住戸を特定し、特定された前記住戸の前記指定機器の制御状態を示す制御状態情報の取得を要求する取得要求信号を特定された前記住戸に対応する前記住戸機器制御部に出力する認証部と、
前記読取部とともに前記かご室に設置され、かつ、前記住戸機器制御部に接続した表示部と
を備え、
前記住戸機器制御部は、
前記認証部により出力された前記取得要求信号を受信すると、前記指定機器の前記制御状態情報を出力し、
前記表示部は、
前記住戸機器制御部により出力された前記制御状態情報を入力し、入力された前記制御状態情報を表示することを特徴とする制御状態取得装置。
【請求項５】
前記制御状態取得装置は、さらに、
前記読取部とともに前記かご室に設置され、前記表示部に表示された前記制御状態情報の示す制御状態にある前記指定機器である表示指定機器の前記制御状態の変更を指令する変更指令情報の入力を受け付け、受け付けた前記変更指令情報を前記表示指定機器に対応する前記住戸機器制御部に送信する変更指令情報入力部を備え、
前記住戸機器制御部は、
前記変更指令情報入力部から前記変更指令情報を入力すると、前記変更指令情報に基づいて前記表示指定機器の前記制御状態を変更することを特徴とする請求項４記載の制御状態取得装置。
【請求項６】
前記住戸機器制御部は、
警告対象として定められた少なくとも１台の前記指定機器である警告対象機器を含む複数の前記指定機器を制御するとともに、前記警告対象機器の前記制御状態情報を出力する際には、警告の発生を指令する警告発生信号をともに出力し、
前記制御状態取得装置は、さらに、
前記読取部とともに前記かご室に設置され、かつ、
前記住戸機器制御部により出力された前記警告発生信号を入力し、前記警告発生信号を入力すると、予め設定された音声出力モードで警告音を出力する音声出力部を備えたことを特徴とする請求項４または５のいずれかに記載の制御状態取得装置。
【請求項７】
前記住戸機器制御部は、
警告対象として定められた少なくとも１台の前記指定機器である警告対象機器を含む複数の前記指定機器を制御するとともに、前記警告対象機器の前記制御状態情報を出力する際には、警告の発生を指令する警告発生信号をともに出力し、
前記表示部は、
前記住戸機器制御部により出力された前記警告発生信号を入力し、前記警告発生信号を入力すると、予め警告表示として設定された表示モードで表示することを特徴とする請求項１または２または４または５のいずれかに記載の制御状態取得装置。
【請求項８】
前記複数の住戸のそれぞれは、
電気錠を有する玄関扉を備え、
前記記録媒体は、
前記電気錠の施錠と解錠とに用いられる鍵データを格納することを特徴とする請求項１または２または４または５のいずれかに記載の制御状態取得装置。
【発明の詳細な説明】
【技術分野】
【０００１】
この発明は、複数の住戸からなる集合住宅に設置された、認証を条件として利用可能な集合住宅エレベータに関するものであり、エレベータの利用条件となる認証処理に連動して、集合住宅の住戸に設置された機器の制御状態を取得する制御状態取得装置に関する。
【背景技術】
【０００２】
（１）従来技術として特開２００５−３５４２９３号公報（特許文献１）がある。特許文献１では、居室の利用者の携帯電話を利用して、利用者の居室内の在／不在に基づき居室の使用状態を正確に検出することで、不必要な設備動作を抑止する技術を開示している。しかしながら、この特許文献１に開示された技術では、携帯電話を介し、利用者が能動的に居室の仕様状態の確認と制御を行っているため、携帯電話の紛失、バッテリー切れ、携帯電話自体を持たない場合などには確認を行うことができないという課題があった。また、利用者が能動的に操作をしないと確認・制御ができないという課題があった。
（２）また、従来技術として特開２００５−２２８２１号公報（特許文献２）がある。この特許文献２では、集合住宅の玄関階に乗場釦を設置せず、居住者の住居の「鍵」によって居住者を識別し、かごを呼び、かつ、居住階を行先階として登録する居住者識別装置を設置すると共に、行先釦が設置されていないエレベータかご室に対しては、居住者の外出を検出し、居住者の居住階へかごを呼び寄せる操作を登録する外出検出器を備えた集合住宅用エレベータの運転システムを開示している。この特許文献２の運転システムは、居住者の外出検出にドアの開閉に応じてオン、オフするスイッチまたはドアの開閉を検出するセンサを用いている。しかしながら、こ特許文献２に開示された技術では、「鍵」を持たない状態で集合住宅より出ることは可能であるが、その状態で外に出てしまうと、今度は中に入れなくなるという課題があった。
【特許文献１】特開２００５−３５４２９３号公報
【特許文献２】特開２００５−２２８２１号公報
【発明の開示】
【発明が解決しようとする課題】
【０００３】
この発明は、集合住宅における住戸に設置された機器の制御状態を確認するための能動的な操作を必要とせずに制御状態を取得でき、また、外出するときに、鍵の不携帯を防止可能な、制御状態取得装置の提供を目的とする。
【課題を解決するための手段】
【０００４】
この発明の制御状態取得装置は、
複数の住戸からなる集合住宅に設置されたエレベータのかご室の室内と前記エレベータの乗場とのいずれかに設置され、前記住戸の住人であることを証明するとともにいずれの前記住戸の住人かを特定する個人認証情報が格納された記録媒体から前記個人認証情報を読み取り、読み取られた前記個人認証情報を出力する読取部と、
前記住戸ごとに対応して設けられ、対応する前記住戸に設置された機器であって予め指定された前記機器である指定機器を制御する住戸機器制御部と、
前記読取部により出力された前記個人認証情報を入力し、入力された前記個人認証情報に対して認証処理を実行し、認証が成立すると、行先階の入力の受け付けを許可する受付許可信号を前記かご室の運転を制御するエレベータ制御装置に送信して行先階の入力待ちにさせるとともに、認証された前記個人認証情報の示す前記住人の前記住戸を特定し、特定された前記住戸の前記指定機器の制御状態を示す制御状態情報の取得を要求する取得要求信号を特定された前記住戸に対応する前記住戸機器制御部に出力する認証部と、
前記読取部とともに前記かご室と前記乗場とのいずれかに設置され、かつ、前記住戸機器制御部に接続した表示部と
を備え、
前記住戸機器制御部は、
前記認証部により出力された前記取得要求信号を受信すると、前記指定機器の前記制御状態情報を出力し、
前記表示部は、
前記住戸機器制御部により出力された前記制御状態情報を入力し、入力された前記制御状態情報を表示することを特徴とする。【０００５】
前記制御状態取得装置は、さらに、
前記読取部とともに前記かご室と前記乗場とのいずれかに設置され、前記表示部に表示された前記制御状態情報の示す制御状態にある前記指定機器である表示指定機器の前記制御状態の変更を指令する変更指令情報の入力を受け付け、受け付けた前記変更指令情報を前記表示指定機器に対応する前記住戸機器制御部に送信する変更指令情報入力部を備え、
前記住戸機器制御部は、
前記変更指令情報入力部から前記変更指令情報を入力すると、前記変更指令情報に基づいて前記表示指定機器の前記制御状態を変更することを特徴とする。【０００６】
前記住戸機器制御部は、
警告対象として定められた少なくとも１台の前記指定機器である警告対象機器を含む複数の前記指定機器を制御するとともに、前記警告対象機器の前記制御状態情報を出力する際には、警告の発生を指令する警告発生信号をともに出力し、
前記制御状態取得装置は、さらに、
前記読取部とともに前記かご室と前記乗場とのいずれかに設置され、かつ、
前記住戸機器制御部により出力された前記警告発生信号を入力し、前記警告発生信号を入力すると、予め設定された音声出力モードで警告音を出力する音声出力部を備えたことを特徴とする。【０００７】
前記住戸機器制御部は、
警告対象として定められた少なくとも１台の前記指定機器である警告対象機器を含む複数の前記指定機器を制御するとともに、前記警告対象機器の前記制御状態情報を出力する際には、警告の発生を指令する警告発生信号をともに出力し、
前記表示部は、
前記住戸機器制御部により出力された前記警告発生信号を入力し、前記警告発生信号を入力すると、予め警告表示として設定された表示モードで表示することを特徴とする。【０００８】
前記複数の住戸のそれぞれは、
電気錠を有する玄関扉を備え、
前記記録媒体は、
前記電気錠の施錠と解錠とに用いられる鍵データを格納することを特徴とする。
【発明の効果】
【０００９】
この発明により、集合住宅における住戸に設置された機器の制御状態を確認するための能動的な操作を必要とせずに制御状態を取得でき、また、外出するときに、鍵の不携帯を防止可能な、制御状態取得装置を提供できる。
【発明を実施するための最良の形態】
【００１０】
実施の形態１．
図１から図１５を参照して、実施の形態１を説明する。実施の形態１は、集合住宅１００に設置されたエレベータの利用に際して認証を条件とし、認証が成立すると、エレベータの利用を認めるとともに、住居に設置されている機器の状態を取得して、ユーザ（居住者）に知らせる居室情報取得システムである。【００１１】
図１は、居室情報取得システム１０００のシステム構成図である。居室情報取得システム１０００は、中央制御装置ａ１、全住居情報制御装置ａ２、エレベータ制御装置ａ３、集合住宅の複数の住居（住戸）のそれぞれに設けられた居室情報制御装置ａ４（住居機器制御部）、乗場１５ａに設置された読取装置（読取部）、表示装置（表示部）、音声出力装置（音声出力部）、入力装置（変更指定情報入力部）、及びかごａ１６に設置された読取装置（読取部）、表示装置（表示部）、音声出力装置（音声出力部）、入力装置（変更指定情報入力部）を備える。読取装置、表示装置、音声出力装置、入力装置は、乗場１５ａとかごａ１６との両方に設置されてもよいし、乗場１５ａとかごａ１６とのいずれか一方に設置されても構わない。乗場１５ａに設置される読取装置等は、読取装置ａ５−１、表示装置ａ６−１、音声出力装置ａ７−１、入力装置ａ８−１というように「−１」の符号をもつものとし、また、かごａ１６の室内に設置される読取装置等は、読取装置ａ５−２、表示装置ａ６−２、音声出力装置ａ７−２、入力装置ａ８−２というように「−２」の符号をもつものとして区別する。【００１２】
図２は、実施の形態１における居室情報取得システム１０００の中央制御装置ａ１、全住居情報制御装置ａ２、エレベータ制御装置ａ３、居室情報制御装置ａ４のハードウェア資源の一例を示す図である。中央制御装置ａ１〜居室情報制御装置ａ４は、いずれも図２に示すようなハードウェア資源を有するコンピュータ（専用のソフトウェアが内蔵された小型コンピュータである「組込み機器」も含む）である。以下、図２は中央制御装置ａ１として説明する。図２において、中央制御装置ａ１は、プログラムを実行するＣＰＵ８１０（Ｃｅｎｔｒａｌ  Ｐｒｏｃｅｓｓｉｎｇ  Ｕｎｉｔ：中央処理装置、処理装置、演算装置、マイクロプロセッサ、マイクロコンピュータ、プロセッサともいう）を備えている。ＣＰＵ８１０は、バス８２５を介してＲＯＭ（Ｒｅａｄ  Ｏｎｌｙ  Ｍｅｍｏｒｙ）８１１、ＲＡＭ（Ｒａｎｄｏｍ  Ａｃｃｅｓｓ  Ｍｅｍｏｒｙ）８１２、表示部８１３、操作キー８１４、通信ボード８１６、磁気ディスク装置８２０と接続され、これらのハードウェアデバイスを制御する。磁気ディスク装置８２０の代わりに、フラッシュメモリなどの記憶装置でもよい。【００１３】
ＲＡＭ８１２は、揮発性メモリの一例である。ＲＯＭ８１１、磁気ディスク装置８２０等の記憶媒体は、不揮発性メモリの一例である。これらは、記憶装置あるいは記憶部、格納部の一例である。通信ボード８１６、操作キー８１４などは、入力部、入力装置の一例である。また、通信ボード８１６、表示部８１３などは、出力部、出力装置の一例である。【００１４】
通信ボード８１６は、ネットワーク（ＬＡＮ等）に接続されている。【００１５】
磁気ディスク装置８２０には、オペレーティングシステム８２１（ＯＳ）、プログラム群８２３、ファイル群８２４が記憶されている。プログラム群８２３のプログラムは、ＣＰＵ８１０、オペレーティングシステム８２１により実行される。【００１６】
上記プログラム群８２３には、以下に述べる実施の形態の説明において「〜部」として説明する機能を実行するプログラムが記憶されている。プログラムは、ＣＰＵ８１０により読み出され実行される。【００１７】
ファイル群８２４には、以下に述べる実施の形態の説明において、「認証情報」（全住居情報制御装置ａ２であれば居室番号／機器対応テーブル、また、居室情報制御装置ａ４であれば居室情報など）として説明する情報や、「〜の判定結果」、「〜の算出結果」、「〜の抽出結果」、「〜の生成結果」、「〜の処理結果」として説明する情報や、データや信号値や変数値やパラメータなどが、「〜ファイル」や「〜データベース」の各項目として記憶されている。「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ８１０によりメインメモリやキャッシュメモリに読み出され、抽出・検索・参照・比較・演算・計算・処理・出力・表示などのＣＰＵの動作に用いられる。抽出・検索・参照・比較・演算・計算・処理・出力・表示のＣＰＵの動作の間、情報やデータや信号値や変数値やパラメータは、メインメモリやキャッシュメモリやバッファメモリに一時的に記憶される。【００１８】
また、以下に述べる実施の形態の説明において、「〜部」、として説明するものは、「〜手段」、「〜装置」「〜回路」、「〜機器」であってもよく、また、「〜ステップ」、「〜手順」、「〜処理」であってもよい。すなわち、「〜部」として説明するものは、ＲＯＭ８１１に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。プログラムはＣＰＵ８１０により読み出され、ＣＰＵ８１０により実行される。すなわち、プログラムは、以下に述べる「〜部」としてコンピュータを機能させるものである。【００１９】
（記録媒体Ｋ）
以下の実施の形態では、記録媒体Ｋには認証媒体情報（ｂ２）が格納されている。「認証媒体情報（ｂ２）」とは、個人を認証するための個人認証情報であり、集合住宅１００の住戸の住人であることを証明するとともに、いずれの住戸の住人かを特定する情報である。以下の実施の形態では、認証媒体情報（ｂ２）として、集合住宅１００におけるいずれの住戸かを示す「居室番号」が格納されているとする。以下の実施の形態では、記録媒体Ｋに格納されている認証媒体情報（ｂ２）を、「居室番号」と呼ぶ場合がある。また、記録媒体Ｋの形態は特に限定しない。記録媒体Ｋは、例えば、ＩＣカードとして実現される。また、それぞれの住居（住戸）は、電気錠を有する玄関扉を備えており、記録媒体Ｋは、電気錠の施錠と解錠とに用いられる鍵データを格納する。鍵データは、認証媒体情報（ｂ２）とした「居室番号」が兼ねてよい。【００２０】
図３は、居室情報取得システム１０００の動作の概要を示すシーケンスである。図３を参照して、居室情報取得システム１０００の動作の概要を説明する。【００２１】
（ステップＳ０１）
居室情報取得システム１０００では、従来の集合住宅用エレベータ運転システムの「認証制御」を行う装置（中央制御装置ａ１）に対して、居室（居室とは、住居ａ１３と同じ意味である）の機器の状況を把握する装置（居室情報制御装置ａ４）を接続している。外出しようとする居住者は、乗場１５ａ（又はかごａ１６内）に設置されている読取装置ａ５−１（読取装置ａ５−２）に、居室番号（認証媒体情報（ｂ２）の一例）が格納された記録媒体Ｋをかざし、読取装置に認証媒体情報（ｂ２）を読み取らせる。【００２２】
（ステップＳ０２）
これにより、取得した認証媒体情報（ｂ２）が中央制御装置ａ１に送られ（Ｓ０２）、中央制御装置ａ１により認証が行われる。中央制御装置ａ１は、認証が成立すると、取得した居室番号に設置された居室情報制御装置ａ４に向けて、居室の機器の状態（玄関の電気錠の施錠の有無、エアーコンディショナーの稼動状態等）を示す居室情報（ｂ１）の取得を要求する居室情報取得要求（ｂ３）を送信し、応答として、居室情報制御装置ａ４から居室情報（ｂ１）を取得する（Ｓ０３）。【００２３】
（Ｓ０４）
そして、中央制御装置ａ１は、取得した居室情報（ｂ１）を乗場１５ａ（又はかごａ１６内）に設置された表示装置ａ６−１（表示装置ａ６−２）に出力する（Ｓ０４）。【００２４】
（Ｓ０５）
また、特に注意が必要な項目（施錠の有無、ガス使用状態等）に関しては、居室情報制御装置ａ４は、居室情報（ｂ１）とともに、警告発生信号を返信する。中央制御装置ａ１は警告発生信号を受信すると、乗場１５ａ（又はかごａ１６内）に設置された音声出力装置ａ７−１（音声出力装置ａ７−２）に警告音を出力し、注意喚起を行う。【００２５】
（Ｓ０６）
また、中央制御装置ａ１は認証が成立すると、居室の状態（施錠有無、エアコン稼動状態等）を取得する作業と同時に、行き先階の登録作業を行う。【００２６】
これにより、例えば、戸締りという習慣化した操作に対し、乗場（又はかごａ１６内）にて上記の機械的認証を行うことで、結果（居室内の各機器、例えば、電気錠、クッキングヒーターなどの状態）が、乗場（又はかごａ１６内）に設置された表示装置や音声出力装置で出力される。このため、外出するときに、時間差をつけた戸締り再確認ができる。また、この認証は、乗場呼び（行き先階の登録処理）を兼ねているため、待ち（乗車）時間の活用につながる。更には認証に使用する記録媒体Ｋは、玄関の電気錠の「鍵」を兼ねており、「鍵」の不携帯防止にもなる。これらより更なる安全、安心が得られる。【００２７】
居室情報取得システム１０００は、乗場１５ａ（又はかごａ１６内）に設置され、指を用いて「機器の制御状態の変更を要求する情報」を入力可能なタッチパネル等で実現される入力装置ａ８−１（入力装置ａ８−２）を備える。入力装置ａ８−１（入力装置ａ８−２）から入力された情報は、中央制御装置ａ１にて「解釈」され、居室内の特定の機器の状態を変更する変更要求として該当する居室情報制御装置ａ４に送信される。居室情報制御装置ａ４は、変更要求を受信すると、変更要求に従って、機器の制御状態を変更する。【００２８】
入力装置ａ８−１（入力装置ａ８−２）を用いることで、居住者は、エレベータに乗った状態、又は、待っている状態で、居室内の各機器の状態を遠隔制御できる。このため、外出時などに、一度、居室に戻る必要がなく、かごａ１６の待ち時間、乗車時間の活用になり、また、利便性が向上する。【００２９】
次に、居室情報取得システム１０００の中央制御装置ａ１等の構成要素の機能を説明する。【００３０】
（居室情報制御装置ａ４）
図４は、居室情報制御装置ａ４のブロック図である。居室情報制御装置ａ４は、それぞれの住居ａ１３（住戸）ごとに設置される。居室情報制御装置ａ４は、居室側通信部ａ４１，居室側情報処理部ａ４２，居室側記憶部ａ４３，居室側入力部ａ４４、居室側表示部ａ４５、居室側リーダａ４６を備えている。居室側情報処理部ａ４２は、居室に設置されている家電機器、ガス関連機器、水道関連機器、ドア等の予め指定されたセキュリティ機器群（指定機器の一例）と接続している。そして、居室側情報処理部ａ４２は、これらの各機器の状態（以降、居室情報（ｂ１）と呼称）を管理制御している。居室側記憶部ａ４３には、受信した認証媒体情報（ｂ２）を照合するための認証情報が記憶されている。居室側通信部ａ４１は、全住居情報制御装置ａ２と通信する。居室側通信部ａ４１は、全住居情報制御装置ａ２に居室情報（ｂ１）を送信し、全住居情報制御装置ａ２から、居室情報取得要求（ｂ３）や、居室情報（ｂ１）の変更を要求する居室情報変更要求（ｂ４）を受信する。また、居室側リーダａ４６は、記録媒体Ｋから住居ａ１３を特定する居室番号を読み取る。居室側通信部ａ４１は、居室側リーダａ４６により読み取られた情報（居室番号）を中央制御装置ａ１へ送信する。居室側入力部ａ４４、居室側表示部ａ４５の機能は、後述する動作３で説明する。【００３１】
（全住居情報制御装置ａ２）
図５は、全住居情報制御装置ａ２のブロック図である。全住居情報制御装置ａ２は、全住居側通信部ａ２１、全住居側情報処理部ａ２２、全住居側記憶部ａ２３を備えている。全住居側記憶部ａ２３は、居室とその居室の居室情報制御装置ａ４との対応関係を示す居室番号／機器対応テーブルを記憶している。全住居側通信部ａ２１は、中央制御装置ａ１から認証媒体情報（ｂ２）や、居室情報（ｂ１）を取得するための要求（以降、居室情報取得要求（ｂ３）と呼ぶ）や、居室情報（ｂ１）を変更するための要求（以降、居室情報変更要求（ｂ４）と呼ぶ）を受信する。全住居側情報処理部ａ２２は、居室番号／機器対応テーブルを参照することにより、該当する住居ａ１３を住居群ａ１４の中から特定し、特定された住居ａ１３に設置されている居室情報制御装置ａ４に全住居側通信部ａ２１を介して、居室情報取得要求（ｂ３）や居室情報変更要求（ｂ４）を送信する。また、全住居側通信部ａ２１は、居室情報制御装置ａ４から居室情報（ｂ１）を受信し、受信した居室情報（ｂ１）を中央制御装置ａ１に転送する。【００３２】
（中央制御装置ａ１）
中央制御装置ａ１は、乗場ａ１５にある読取装置ａ５−１、かごａ１６にある読取装置ａ５−２、あるいは、居室情報制御装置ａ４より送られてくる認証媒体情報（ｂ２）を受け取り、エレベータ動作認証作業と住居情報取得認証作業を行う。中央制御装置ａ１は、認証が成立すると、全住居情報制御装置２に対し、居室情報取得要求（ｂ３）を送信するとともに、エレベータ制御装置ａ３に対し、エレベータの動作（乗場呼び）に関する情報を送信する。また、中央制御装置ａ１は、全住居情報制御装置２より居室情報（ｂ１）を受け取った後、エレベータ制御装置ａ３に居室情報（ｂ１）を送信する機能や、エレベータ制御装置ａ３より居室情報（ｂ１）を変更するための情報（ｂ５）を受け取った後、全住居情報制御装置２に居室情報変更要求（ｂ４）を送信する機能を有する。中央制御装置ａ１については、後述の図６により、詳細を別途説明する。なお、中央制御装置ａ１は全住居情報制御装置ａ２とともに、認証部ａ５０を構成する。認証部ａ５０は、認証媒体情報（ｂ２）に基づき認証処理を実行し、認証が成立すると、認証媒体情報（ｂ２）から住戸を特定し、特定された住戸に対応する居室情報制御装置ａ４に居室情報取得要求（ｂ４）を送信する。【００３３】
（エレベータ制御装置ａ３）
エレベータ制御装置ａ３は、中央制御装置ａ１よりエレベータの動作（乗場呼び）に関する情報を受信し、乗場呼びの処理を行う。また、中央制御装置ａ１より居室情報（ｂ１）を受け取った場合は、表示装置ａ６−１、表示装置ａ６−２や音声出力装置ａ７−１、音声出力装置ａ７−２に対して出力処理を行う。更にエレベータ制御装置ａ３は、入力装置ａ８−１、入力装置ａ８−２からの入力情報（ｂ６）を受信し、中央制御装置ａ１に対して「居室情報（ｂ１）を変更するための情報（ｂ５）」の送信を行う。【００３４】
（乗場１５ａに設置される装置）
乗場ａ１５には、読取装置ａ５−１、表示装置ａ６−１、音声出力装置ａ７−１、入力装置ａ８−１が設置されている。読取装置ａ５−１は、住居ａ１３を特定する認証媒体情報（ｂ２）を記録媒体Ｋから読み取り、読み取られた認証媒体情報（ｂ２）を中央制御装置ａ１へ送信する。表示装置ａ６−１は、居室情報（ｂ１）やエレベータ動作に関わる情報を視覚的に表示する。音声出力装置ａ７−１は、居室情報（ｂ１）やエレベータ動作に関わる情報を聴覚的に表示する。入力装置ａ８−１は、後述する入力情報（ｂ６）をエレベータ制御装置ａ３に送信する。【００３５】
（かごａ１６内部に設置された装置）
かごａ１６には、読取装置ａ５−２、表示装置ａ６−２、音声出力装置ａ７−２、入力装置ａ８−２が設置されている。読取装置ａ５−２から入力装置ａ８−２のそれぞれは、読取装置ａ５−１から入力装置ａ８−１のそれぞれと同じ機能である。読取装置ａ５−２から入力装置ａ８−２のそれぞれは、読取装置ａ５−１から入力装置ａ８−１がかご室の内部に設置された場合である。【００３６】
（中央制御装置ａ１の構成ブロック）
図６は、中央制御装置ａ１のブロック図である。中央制御装置ａ１は、認証媒体情報受信部ｃ１、中央制御装置情報処理部ｃ２、第１居室関係情報送信部ｃ３、第１居室関係情報受信部ｃ４、第２居室関係情報送信部ｃ５、第２居室関係情報受信部ｃ６、エレベータ動作情報送信部ｃ７、エレベータ動作情報受信部ｃ８、中央側記憶部ｃ９を備える。各送信部及び各受信部である認証媒体情報受信部ｃ１及び第１居室関係情報送信部ｃ３〜エレベータ動作情報受信部ｃ８は、中央側通信部ｃ１００を構成する。
（１）認証媒体情報受信部ｃ１は、乗場ａ１５（又はかごａ１６）の読取装置ａ５−１（又は読取装置ａ５−２）、あるいは居室情報制御装置ａ４から送られてくる認証媒体情報（ｂ２）を受け取り、中央制御装置情報処理部ｃ２に送信する。
（２）中央制御装置情報処理部ｃ２は、認証媒体情報受信部ｃ１より受け取った認証媒体情報（ｂ２）の判定（認証処理）を行う。また、中央制御装置情報処理部ｃ２は、全住居情報制御装置ａ２に対し、認証媒体情報（ｂ２）の判定結果に応じて第１居室関係情報送信部ｃ３を介して居室情報取得要求（ｂ３）を送信するとともに、エレベータ制御装置ａ３に対し、エレベータ動作情報送信部ｃ７を介して「エレベータの動作（乗場呼び）に関する情報」を送信する。また、中央制御装置情報処理部ｃ２は、全住居情報制御装置ａ２より第１居室関係情報受信部ｃ４を経て居室情報（ｂ１）を取得し、エレベータ制御装置ａ３に対し第２居室関係情報送信部ｃ５を介して居室情報（ｂ１）を送信する。更に、中央制御装置情報処理部ｃ２は、エレベータ制御装置ａ３から第２居室関係情報受信部ｃ６を介して居室情報（ｂ１）を変更するための情報（ｂ５）を受信し、それを基に全住居情報制御装置ａ２に対し第１居室関係情報送信部ｃ３を介して居室情報変更要求（ｂ４）を送信する。
（３）第１居室関係情報送信部ｃ３は、全住居情報制御装置ａ２に対して、居室情報取得要求（ｂ３）や居室情報変更要求（ｂ４）を送信する。
（４）第１居室関係情報受信部ｃ４は、全住居情報制御装置ａ２から、居室情報（ｂ１）を受信し、中央制御装置情報処理部ｃ２に送信する。
（５）第２居室関係情報送信部ｃ５は、エレベータ制御装置ａ３に対して、居室情報（ｂ１）を送信する手段である。
（６）第２居室関係情報受信部ｃ６は、エレベータ制御装置ａ３からの居室情報（ｂ１）を変更するための情報（ｂ５）を受信し、中央制御装置情報処理部ｃ２に送信する。
（７）エレベータ動作情報送信部ｃ７は、エレベータ制御装置ａ３に対して、エレベータの動作（乗場呼び）に関する情報を送信する。
（８）エレベータ動作情報受信部ｃ８は、エレベータ制御装置ａ３からのエレベータの動作（乗場呼びの結果）に関する情報をし、中央制御装置情報処理部ｃ２に送信する。
（９）中央側記憶部ｃ９は、認証媒体情報受信部ｃ１により受信された認証媒体情報（ｂ２）を照合するための認証情報を記憶している。【００３７】
（動作１）
図７は、住居ａ１３からかごａ１６を呼ぶ処理（動作１という）を行った際の構成図である。図７は、図１から乗場１５ａを除いた図である。図８は、動作１を示すフローチャートである。図９は、図８をシーケンス化した図である。主に図９を参照して説明する。動作１では、かごａ１６の室内に、読取装置５ａ−２、表示装置６ａ−２、音声出力装置７ａ−２、入力装置８ａ−２が設置されている。【００３８】
（かごａ１６の呼び：ステップｅ１）
居住者は、居室情報制御装置ａ４によって、かごａ１６を居住階に呼ぶ（ステップｅ１）。かごａ１６を呼ぶ方法は、居室情報制御装置ａ４の居室側リーダａ４６が記録媒体Ｋの認証媒体情報（ｂ２）を読み取り、読み取られた認証媒体情報（ｂ２）が居室情報制御装置ａ４の居室側通信部ａ４１から中央制御装置ａ１に送信される。中央制御装置ａ１は、認証媒体情報（ｂ２）を受信すると、エレベータ制御装置ａ３に対して「エレベータの動作に関する情報」（この場合は、かごａ１６の乗場呼びを指示する情報）を送信する。エレベータ制御装置ａ３は、この情報を受信すると、かごａ１６を前記居住者の居住階の乗場に運ぶ。居室情報取得システム１０００では、住居ａ１３からかごａ１６を呼んだ場合は、かごａ１６を居住階の乗場に着床させるのみであり、この時点では、エレベータ制御装置ａ３は、行き先階の受け付け状態とはなっていない。後述のように、エレベータ制御装置ａ３が、行き先階の受け付け状態となるのは、「認証処理」（ステップｅ３）の成立後である。【００３９】
（読取装置ａ５−２：ステップｅ２）
居住者は、かごａ１６に乗り込み、かごａ１６内の読取装置ａ５−２に鍵（記録媒体Ｋ）の認証媒体情報（ｂ２）を読み取らせる（ステップｅ２）。読取装置ａ５−２は、認証媒体情報（ｂ２）を読み取ると、認証媒体情報（ｂ２）を中央制御装置ａ１に送信する。【００４０】
（中央制御装置ａ１：ステップｅ３）
中央制御装置ａ１は、認証媒体情報（ｂ２）を受信すると、認証処理を行う（ステップｅ３）。具体的には、次の様である。中央制御装置ａ１の認証媒体情報受信部ｃ１が認証媒体情報（ｂ２）を受信する。中央制御装置情報処理部ｃ２は、受信された認証媒体情報（ｂ２）に対して認証処理を実行する。中央側記憶部ｃ９は、正規ユーザである住人の認証媒体情報（ｂ２）を認証情報として記憶している。中央制御装置情報処理部ｃ２は、受信された認証媒体情報（ｂ２）に一致する認証媒体情報（ｂ２）が中央側記憶部ｃ９の認証情報に存在するかどうかにより認証する。中央制御装置情報処理部ｃ２は、受信された認証媒体情報（ｂ２）と同一のデータが記憶されているときは、認証成立と判断する。【００４１】
（中央制御装置ａ１、全住居情報制御装置ａ２：ステップｅ４、ｅ５）
認証が成立すると、中央制御装置ａ１は、該当する居室情報取得要求（ｂ３）を全住居情報制御装置ａ２経由にて居室情報制御装置ａ４に送るとともに（ステップｅ４）、「行き先階の登録」を可能とする（ステップｅ５）。具体的には、次の様である。中央制御装置情報処理部ｃ２は、認証が成立すると、認証された認証媒体情報（ｂ２）から住戸を特定し、特定された住戸の機器（指定機器）の制御状態を示す居室情報（ｂ１）（制御状態情報）の取得を要求する居室情報取得要求（ｂ３）（取得要求信号）を生成する。中央制御装置情報処理部ｃ２は、居室情報取得要求（ｂ３）に認証が成立した住居番号を含める。中央制御装置情報処理部ｃ２は、第１居室関係情報送信部ｃ３を介して、居室情報取得要求（ｂ３）を全住居情報制御装置ａ２に送信する。ここで中央制御装置情報処理部ｃ２が認証媒体情報（ｂ２）から居室番号（住戸）を特定できるのは、中央側記憶部ｃ９に記憶された認証情報に、認証媒体情報（ｂ２）と居室番号（住戸）とが対応付けられているためである。なお、認証媒体情報（ｂ２）が居室番号の場合には、直ちに特定できる。全住居情報制御装置ａ２は、中央制御装置ａ１から全住居側通信部ａ２１を介して居室情報取得要求（ｂ３）を受信する。全住居側記憶部ａ２３に記憶されている居室番号／制御装置対応テーブルには、居室番号と、その居室に設置されている居室情報制御装置ａ４との対応関係が記載されている。全住居側情報処理部ａ２２は、居室番号／制御装置対応テーブルを参照して、居室情報取得要求（ｂ３）に含まれる居室番号から、居室情報取得要求（ｂ３）を送信するべき居室情報制御装置ａ４を特定する。【００４２】
また、中央制御装置情報処理部ｃ２は、認証が成立すると、行先階の入力の受け付けを許可する受付許可信号をエレベータ動作情報送信部ｃ７を介してかごａ１６の運転を制御するエレベータ制御装置ａ３に送信する。エレベータ制御装置ａ３は、受付許可信号を受信すると行先階の入力待ちになる。したがって、かごａ１６の内部に設置された行先操作盤（図示していない）から行先階が入力されると、エレベータ制御装置ａ３は、この行先階を行先呼びとして登録する。【００４３】
（中央制御装置ａ１）
なお、特定の時間が経過しても、居住者が、かごａ１６に乗り込まなかった場合、すなわち、居住者が、かごａ１６を部屋から呼んでおきながら、記録媒体Ｋの情報をかごａ１６に設置された読取装置ａ５−２に読み取らせない場合は，処理は終了する（ステップｅ９）。中央制御装置情報処理部ｃ２は、認証が取れなかった場合（ステップｅ４）、その旨、エレベータ制御装置ａ３を介して、表示装置ａ６−２と音声出力装置ａ７−２とに認証の失敗を通知する認証失敗情報を出力し、処理を終了する（ステップｅ１０）。【００４４】
（居室情報制御装置ａ４：ステップｅ６）
該当する居室情報制御装置ａ４は、全住居情報制御装置ａ２から居室側通信部ａ４１を介して居室情報取得要求（ｂ３）を受信すると、管理している居室情報（ｂ１）を居室側通信部ａ４１を介して全住居情報制御装置ａ２経由で中央制御装置ａ１に送信する（ステップｅ６）。【００４５】
居室情報制御装置ａ４は、図１０に示すような居室情報（ｂ１）を送信する。図１０は、居室情報（ｂ１）の例を示している。居室情報（ｂ１）は、居室側記憶部ａ４３に記憶されている。図１０において、居室情報（ｂ１）は、居室側情報処理部ａ４２が管理制御している機器名、制御項目、現在の制御値等を持つ。「エアーコンディショナー」の例では、制御対象となる「制御項目」は「電源ＯＮ／ＯＦＦ」であり、この「電源ＯＮ／ＯＦＦ」に対応する現在の制御値（現在の制御状態）が「ＯＦＦ」状態であることを示している。「クッキングヒーター」の例も同様である。また、「玄関の電気錠」の例では、制御対象となる「制御項目」は「施錠／解錠」であり、この「電気錠」に対応する現在の制御値（現在の制御状態）が「解錠」状態であることを示している。ユーザ（居住者）は、居室情報制御装置ａ４により制御可能な機器を対象として、いかなる制御項目を、どのように管理制御をするかなどを予め設定することができる。この設定は、ユーザが、居室情報制御装置ａ４を用いて行なう。例えば、居室情報制御装置ａ４を設定モードにすると、居室側表示部ａ４５に設定画面が表示され、居室側入力部４４によって、入力する。居室側情報処理部ａ４２は、この設定を居室側記憶部ａ４３に記憶するとともに、この設定に従って、設定された機器を管理制御する。【００４６】
（警告発生信号）
居室側情報処理部ａ４２は、複数の機器を制御している。複数の機器の中には、警告対象として定められた少なくとも１台の警告対象機器がふくまれる。例えば、電気錠が警告対象機器である。居室側情報処理部ａ４２は、警告対象機器の認証媒体情報（ｂ２）を出力する際には、警告の発生を指令する警告発生信号を生成し、送信する。【００４７】
中央制御装置ａ１の第１居室関係情報受信部ｃ４は、居室情報制御装置ａ４から全住居情報制御装置ａ２を介して、居室情報（ｂ１）、及び出力されている場合には警告発生信号を受信する。中央制御装置情報処理部ｃ２は、第１居室関係情報受信部ｃ４により受信された居室情報（ｂ１）、警告発生信号を第２居室関係情報送信部ｃ５からエレベータ制御装置ａ３を経由（ステップｅ７）し、表示装置ａ６−２と音声出力装置ａ７−２とに送信し、居室情報（ｂ１）を出力させる（ステップｅ８）。表示装置６ａ−２は、警告発生信号を入力すると、予め警告表示として設定された表示モードで表示する。また、音声出力装置ａ７−１は、警告発生信号を入力すると、予め設定された音声出力モードで警告音を出力する。【００４８】
本構成をとることで、戸締りという習慣化した操作に対し、外出時ほぼ確実に利用するエレベータで機械的に認証することにより、時間差をつけた戸締り再確認ができる。また、認証は行き先階登録判定を兼ねているため、時間の活用につながる。更には認証に鍵を使用しており、鍵の不携帯防止に繋がり、外出時、鍵の不携帯による入室できなくなる伏況も回避できる。これらより更なる安全、安心が得られる。【００４９】
（動作２）
図１１は、乗場ａ１５から乗場呼びを行う構成図である。図１２は、乗場ａ１５から乗場呼びを行う処理（動作２）を示すフローチャートである。図１３は、図１２をシーケンス化した図である。【００５０】
動作２は、乗場において、かごａ１６を呼ぶ場合の動作である。動作２の場合は、図１１に示すように、読取装置ａ５−１、表示装置ａ６−１、音声出力装置ａ７−１、入力装置ａ８−１は、すべて乗場ａ１５に設置されている。動作１に対して、動作２は、認証処理後に乗場呼びが登録される点が異なる。他の処理は、動作１と同様である。【００５１】
ユーザ（居住者）が、乗場ａ１５の読取装置ａ５−１に鍵（記録媒体Ｋ）の認証媒体情報（ｂ２）を読み取らせる（ステップｆ１）と、読取装置ａ５−１は、認証媒体情報（ｂ２）を中央制御装置ａ１に送信する。中央制御装置ａ１は、「動作１」の場合と同様の認証処理を行う（ステップｆ２）。中央制御装置ａ１は、認証がとれた場合（ステップｆ３）に、該当する居室情報取得要求（ｂ３）を全住居情報制御装置ａ２経由にて居室情報制御装置ａ４に送る。また、中央制御装置ａ１、同時にエレベータ制御装置ａ３に対して、行き先階の登録が可能な状態での乗揚呼びを登録を行う（ステップｆ４）。このステップｆ３、ｆ４における認証成立後の処理は、「動作１」の場合とほぼ同様であるが、動作１との違いは、中央制御装置ａ１が、さらに、「乗場呼びの処理」を行なうことである。それ以降の居室情報取得要求（ｂ３）の生成、送信の処理は、動作１と同じである。また、ユーザが乗場ａ１５で認証動作をしなければ、乗場呼びも発生しない（ステップｆ８）。【００５２】
以下は動作１と同じなので、簡単に説明する。中央制御装置ａ１は、認証が取れなかった湯合（ステップｆ３）は、動作１と同様に、その旨、表示装置ａ６−１と音声出力装置ａ７−１とに「通知情報」を出力し処理を終了する（ステップｆ９）。居室情報取得要求（ｂ３）を受け取った居室情報制御装置ａ４は、管理している居室情報（ｂ１）を全住居情報制御装置ａ２経由で中央制御装置ａ１に送る（ステップｆ５）。居室情報（ｂ１）を受け取った中央制御装置ａ１は、エレベータ制御装置ａ３を経由して（ステップｆ６）、表示装置ａ６−１と音声出力装置ａ７−１とに居室情報（ｂ１）を出力する（ステップｆ７）。【００５３】
本構成をとることで、戸締りという習慣化した操作に対し、外出時ほぼ確実に利用するエレベータで機械的に認証することにより、時間差をつけた戸締り再確認ができる。また、認証は乗場呼びを兼ねているため、待ち時間の活用につながる。更には認証に鍵を使用しており、鍵の不携帯防止に繋がり、外出時、鍵の不携帯による入室できなくなる状況も回避できる。これらより更なる安全、安心が得られる。【００５４】
（動作３）
図１４は、かごａ１６（動作１）または乗場ａ１５（動作２）において、後述する情報入力を行う動作（動作３）を示したフローチャートである。図１５は、図１４をシーケンス化した図である。主に図１５を参照して、動作３を説明する。【００５５】
上記動作２の認証作業ステップｆ３（又は動作１のステップｅ３）が実行され、乗場ａ１５（又はかごａ１６）の表示装置ａ６−１（又は表示装置ａ６−２）や音声出力装置ａ７−１（又はａ７−２）に、居室情報（ｂ１）が出力された状態（出力中、あるいは出力直後：ステップｇ１）とする。この状態で、ユーザが、乗場ａ１５（又はかごａ１６）の入力装置ａ８−１（又は入力装置ａ８−２）から入力情報（ｂ６）（変更指令情報）を入力する（ステップｇ２）。前記のように、入力装置とは例えばタッチパネルディスプレイであり、表示装置ａ６−２（ａ６−２）の表示部が、入力装置ａ８−１（ａ８−２）を兼ねてもよい。例えば、図１０に示した居室情報が入力装置であるタッチパネルディスプレイに表示されているとする。この場合、ユーザは、電気錠が解錠状態にあるため、タッチパネルを操作することにより、「施錠」状態にした後、タッチパネルの送信ボタンを押す。この、入力操作によって、「玄関の電気錠」の制御状態を「施錠」とするべき入力情報（変更指令情報）が、入力装置であるタッチパネルディスプレイからエレベータ制御装置ａ３を経由して、「居室情報（ｂ１）を変更するための情報（ｂ５）」として中央制御装置ａ１に送信される（ステップｇ３）。即ち、第２居室関係情報受信部ｃ６がエレベータ制御装置ａ３から「居室情報（ｂ１）を変更するための情報（ｂ５）」（変更指令情報）を受信する。中央制御装置情報処理部ｃ２は、「居室情報（ｂ１）を変更するための情報（ｂ５）」を解釈し、「居室情報（ｂ１）を変更するための情報（ｂ５）」を、該当する居室情報制御装置ａ４に解釈可能な「居室情報変更要求（ｂ４）」（変更指令情報）に変換し、第１居室関係情報送信部ｃ３により、全住居情報制御装置ａ２に送信する。全住居情報制御装置ａ２は、動作２（又は動作１）において居室情報取得要求（ｂ３）を送信した居室情報制御装置ａ４を選択し、該当する居室情報制御装置ａ４に居室情報変更要求（ｂ４）を送信する（ステップｇ４）。居室側情報処理部ａ４２は、居室側通信部ａ４１を介して居室情報変更要求（ｂ４）を受信すると、居室情報変更要求（ｂ４）の内容を判断する（ステップｇ５）。全住居情報制御装置ａ２は、動作２（又は動作１）において居室情報取得要求（ｂ３）を送信した居室情報制御装置ａ４を選択し、該当する居室情報制御装置ａ４に居室情報変更要求（ｂ４）を送信する（ステップｇ４）。居室側情報処理部ａ４２は、居室側通信部ａ４１を介して居室情報変更要求（ｂ４）を受信すると、居室情報変更要求（ｂ４）の内容が妥当かどうかを判断する（ステップｇ５）。居室側情報処理部ａ４２による妥当かどうかの判断とは、例えば次のような場合である。居室側情報処理部ａ４２は、入力装置がタッチパネルディスプレイであれば、タッチパネルディスプレイから入力されたデータを対象としてその入力データの妥当性を判定する。例えば、タッチパネルディスプレイは電気錠の「施錠または解錠」を入力データとして受け付けるとする。入力データは、タッチパネルディスプレイにおいて「１」が入力された場合には施錠を示し、「２」が入力された場合には解錠を示すとする。この場合、居室側情報処理部ａ４２は、タッチパネルディスプレイから「３」や「４」などの無効な数字が入力された場合に、妥当ではないと判断する。【００５６】
居室側情報処理部ａ４２は、判断の結果、居室情報変更要求（ｂ４）の要求が妥当であれば、該当する機器の「制御状態の変更」を行い、結果を確認する（ステップｇ６）。居室情報制御装置ａ４は、「結果」と新しい居室情報（ｂ１）を中央制御装置ａ１に送信する（ステップｇ７）。中央制御装置ａ１は、居室情報制御装置ａ４からの変更要求に対応する居室情報（ｂ１）をエレベータ制御装置ａ３に送信する（ステップｇ８）。エレベータ制御装置ａ３は、変更要求に対応する居室情報（ｂ１）を表示装置ａ６−１（又はａ６−２）や音声出力装置ａ７−１（又はａ７−２）に出力する（ステップｇ９）。【００５７】
本構成をとることで、エレベータに乗った、又は、待っている状態で居室のシステムを遠隔制御することが可能であるため、居室に戻る必要がなく待ち時間・乗車時間の活用になり、また、利便性が向上する。【００５８】
以上で説明した居室情報取得システム１０００では、中央制御装置、全住居情報制御装置、エレベータ制御装置、居室情報制御装置、読取装置、表示装置、入力装置などの動作は互いに関連しており、これらの動作をステップとみることで、居室情報取得システム１０００を居室情報取得方法として把握することも可能である。
【図面の簡単な説明】
【００５９】
【図１】実施の形態１の居室情報変更システム１０００の構成図。
【図２】実施の形態１の中央制御装置ａ１、全住居情報制御装置ａ２等のハードウェア構成図。
【図３】実施の形態１の居室情報変更システム１０００の動作概要のシーケンス図。
【図４】実施の形態１の居室情報制御装置ａ４のブロック図。
【図５】実施の形態１の全住居情報制御装置ａ２のブロック図。
【図６】実施の形態１の中央制御装置ａ１のブロック図。
【図７】実施の形態１の住居ａ１３からかごａ１６を呼ぶ際の構成図。
【図８】図７の動作のフローチャート。
【図９】図７の動作のシーケンス。
【図１０】実施の形態１の居室情報（ｂ１）の例を示す図。
【図１１】実施の形態１の乗場ａ１５から乗場呼びを行う際の構成図。
【図１２】図１０の動作のフローチャート。
【図１３】図１０の動作のシーケンス。
【図１４】図８、図１２の場合に対して、情報入力の動作を示すフローチャート。
【図１５】図９、図１３の場合に対して、情報入力の動作を示すシーケンス。
【符号の説明】
【００６０】
ａ１  中央制御装置、ａ２  全住居情報制御装置、ａ３  エレベータ制御装置、ａ４  居室情報制御装置、ａ５−１  読取装置、ａ６−１  表示装置、ａ７−１  音声出力装置、ａ８−１  入力装置、ａ５−２  読取装置、ａ６−２  表示装置、ａ７−２  音声出力装置、ａ８−２  入力装置、ａ１３  住居、ａ１４  住居群、ａ１５  乗場、ａ１６  かご、ａ２１  全住居側通信部、ａ２２  全住居側情報処理部、ａ２３  全住居側記憶部、ａ４１  居室側通信部、ａ４２  居室側情報処理部、ａ４３  居室側記憶部、ａ４４  居室側入力部、ａ４５  居室側表示部、ａ４６  居室側リーダ、ａ５０  認証部、ｂ１  居室情報、ｂ２  認証媒体情報、ｂ３  居室情報取得要求、ｂ４  居室情報変更要求、ｂ６  入力情報、ｂ７  警告発生信号、ｂ８  受付許可信号、ｃ１  認証媒体情報受信部、ｃ２  中央制御装置情報処理部、ｃ３  第１居室関係情報送信部、ｃ４  第１居室関係情報受信部、ｃ５  第２居室関係情報送信部、ｃ６  第２居室関係情報受信部、ｃ７  エレベータ動作情報送信部、ｃ８  エレベータ動作情報受信部、ｃ９  中央側記憶部、ｃ１００  中央側通信部、ｄ１  全住居側通信部、ｄ２  全住居側情報処理部、ｄ３  全住居側記憶部、ｋ  記録媒体、１００  集合住宅、１０００  居室情報取得システム。
【図１】
0005419707.tif 000002
【図２】
0005419707.tif 000003
【図３】
0005419707.tif 000004
【図４】
0005419707.tif 000005
【図５】
0005419707.tif 000006
【図６】
0005419707.tif 000007
【図７】
0005419707.tif 000008
【図８】
0005419707.tif 000009
【図９】
0005419707.tif 000010
【図１０】
0005419707.tif 000011
【図１１】
0005419707.tif 000012
【図１２】
0005419707.tif 000013
【図１３】
0005419707.tif 000014
【図１４】
0005419707.tif 000015
【図１５】
0005419707.tif 000016